【事件の表示】
　上記当事者間の登録第５３７６７５６号商標の商標登録無効審判事件について、次のとおり審決する。
【結　論】
　本件審判の請求は、成り立たない。
　審判費用は、請求人の負担とする。
【理　由】
第１　本件商標
　本件登録第５３７６７５６号商標（以下「本件商標」という。）は、別掲（１）のとおりの構成からなり、平成２１年１２月１４日に登録出願、第１８類「かばん類，袋物」、第２５類「洋服，コート，セーター類，ワイシャツ類，寝巻き類，下着，水泳着，水泳帽，アイマスク，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，帽子，防暑用ヘルメット，ガーター，靴下止め，ズボンつり，バンド，ベルト，運動用特殊衣服，運動用特殊靴」及び第２８類「運動用具」を指定商品として、同２２年１２月１日に登録査定され、同年１２月１７日に設定登録されたものである。
　
第２　引用商標
（１）登録第４８６８１０６号商標（以下「引用商標１」という。）は、別掲（２）のとおりの構成からなり、平成１６年１１月１８日に登録出願、第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」を指定商品として、同１７年６月３日に設定登録されたものであり、その商標権は、現に有効に存続しているものである。
（２）登録第４３１０９０５号商標（以下「引用商標２」という。）は、「ＲＨＹＴＨＭ」の文字を標準文字で表してなり、平成１０年６月１０日に登録出願、第９類「測定機械器具，写真機械器具，光学機械器具，眼鏡」、第１４類「貴金属製の花瓶・水盤・宝石箱，貴金属製のがま口及び財布，身飾品，宝玉及びその原石並びに宝玉の模造品，時計」及び第２６類「ボタン類，衣服用き章（貴金属製のものを除く），衣服用バッジ（貴金属製のものを除く），衣服用バックル，衣服用ブローチ，腕止め，帯留め，ボンネットピン（貴金属製のものを除く），ワッペン，腕章，頭飾品，造花（「造花」の花輪を除く）」を指定商品として、同１１年９月３日に設定登録され、その後、指定商品については、商標登録の一部取消し審判により、第１４類「貴金属製のがま口及び財布」及び第２６類「腕止め」についての登録を取り消す旨の審決がされ、その審判の確定登録が平成２３年９月２６日にされたものであり、その商標権は、現に有効に存続しているものである。
（３）登録第５２５２６６０号商標（以下「引用商標３」という。）は、「Ｒｈｙｔｈｍ」の文字を標準文字で表してなり、平成２１年１月２０日に登録出願、第１０類「歩行補助器，その他の医療用機械器具」及び第２８類「歩行運動用補助器具，その他の運動用具」を指定商品として、同年７月３１日に設定登録されたものであり、その商標権は、現に有効に存続しているものである。
（４）登録第４８９４４２８号商標（以下「引用商標４」という。）は、「ｒｈｙｔｈｍ」の文字を書してなり、平成１７年３月７日に登録出願、第２５類「履物，乗馬靴」を指定商品として、同年９月１６日に設定登録されたものであり、その商標権は、現に有効に存続しているものである。
　以下、引用商標１ないし４をまとめていうときは「引用各商標」という。
　
第３　請求人の主張
　請求人は、本件商標の登録を無効とする、審判費用は被請求人の負担とする、との審決を求め、その理由を要旨次のように述べ、証拠方法として、甲第１号証ないし甲第５９号証（枝番を含む。）を提出した。
１　理由
　本件商標は、引用各商標との関係で商標法第４条第１項第１１号に該当するから、その登録は無効とされるべきである。
２　本件商標と引用各商標との類否について
（１）指定商品の同一・類似性
ア　本件商標の指定商品中第１８類に係る商品について
　本件商標の指定商品中第１８類「かばん類，袋物」は、引用商標２に係る商品第１４類「貴金属製のがま口及び財布」と、生産・販売部門、用途、需要者層等が一致し、類似群コード「２１Ｃ０１」が共通するから、互いに類似する。
イ　本件商標の指定商品中第２５類に係る商品について
　本件商標の指定商品中第２５類のうち、「洋服，コート，セーター類，ワイシャツ類，寝巻き類，下着，水泳着，水泳帽，アイマスク，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，帽子，防暑用ヘルメット」は、引用商標１に係る商品「洋服，コート，セーター類，ワイシャツ類，寝巻き類，下着，水泳着，水泳帽，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，帽子，防暑用ヘルメット」と、生産・販売部門、用途、需要者層等が一致し、類似群コード「１７Ａ０１、１７Ａ０２、１７Ａ０４、１７Ａ０７」が共通するから、互いに類似する。
　また、本件商標の指定商品中第２５類のうち、「ガーター，靴下止め，ズボンつり，バンド，ベルト」は、引用商標２に係る商品第２６類「腕止め」と用途、需要者層等が一致し、類似群コード「２１Ａ０１」が共通するから、互いに類似する。
　さらに、本件商標の指定商品中第２５類のうち、「運動用特殊衣服，運動用特殊靴」は、引用商標３に係る商品第２８類「歩行運動用補助器具，その他の運動用具」及び引用商標４に係る商品「乗馬靴」と、生産・販売部門、用途、需要者等が一致し、類似群コード「２４Ｃ０１、２４Ｃ０２」が共通するから、互いに類似する。
ウ　本件商標の指定商品中第２８類に係る商品について
　本件商標の指定商品中第２８類のうち、「運動用具」は、引用商標３に係る商品第２８類「歩行運動用補助器具，運動用具」と、生産・販売部門、用途、需要者層等が一致し、類似群コード「２４Ｃ０１」が共通するから、互いに類似する。
（２）商標の類似性
ア　外観上の類似性
（ア）本件商標と引用各商標の外観を比較すると、本件商標は、欧文字「ＲＨＹＴＨＭ」を、「ＲＨＹ」及び「ＴＨＭ」の二つに分離し、その間に、それぞれ約１文字分のスペースを空けて「＋（プラス）」の記号を表してなるのに対して、引用各商標は、引用商標１が欧文字「Ｒｈｙｔｈｍ」を毛筆体で横書きに表わすとともに該文字の「Ｒ」の左側にデフォルメした太陽の図形を表してなり、引用商標２は欧文字「ＲＨＹＴＨＭ」を標準文字で表してなり、引用商標３は欧文字「Ｒｈｙｔｈｍ」を標準文字で表してなり、引用商標４は欧文字「ｒｈｙｔｈｍ」を表してなるものである。
　本件商標及び引用各商標は、大文字・小文字の別はあれど、いずれも「Ｒ」、「Ｈ」、「Ｙ」、「Ｔ」、「Ｈ」、「Ｍ」という６文字の欧文字からなる点で共通し、当該文字列は、後述のとおり、我が国において極めて広く馴染みのあると語として知られている英単語「ＲＨＹＴＨＭ（リズム）」を表わしている。
　本件商標の構成においては、この「ＲＨＹＴＨＭ」の語を「ＲＨＹ」と「ＴＨＭ」の二つに分断するかのごとく記号「＋」がその構成の中心に配置されているが、当該「＋」の記号を介しているとしても、欧文字部分が一般的に親しまれ馴染みのある「ＲＨＹＴＨＭ」を表わしているとの理解を妨げるまでに二つの文字要素を分断しているということは決してできない。
　また、本件商標を構成する文字部分は、同書同大で軽重の差なく該構成の左右にバランスよく配置されていることから、これに接する需要者等は、何の困難もなく、この文字列が、「Ｒ」、「Ｈ」、「Ｙ」、「Ｔ」、「Ｈ」、「Ｍ」の順序で表わされていることを把握する。
（イ）簡易・迅速が最も尊ばれる今日の取引においては、商標に対する注意は瞬時に払われることは想像に難くない。そのような状況においても、看者は一見して、本件商標が英単語「ＲＨＹＴＨＭ」を表していると把握、認識することができると考えるのが相当であり、また「＋」の存在が、かかる認識を妨げるということも決してあり得ないから、本件商標と引用各商標は、外観上、極めて近似した印象を与え、これを時・場所を異にして離隔的に観察した場合には、需要者等はこれらが付された商品の出所について誤認混同するおそれがあるから、両商標は、外観上類似する。
イ　称呼上の類似性
（ア）本件商標は、上述したとおり、欧文字「ＲＨＹＴＨＭ」と記号「＋」とを結合し、「ＲＨＹ　＋　ＴＨＭ」と表してなるところ、該「ＲＨＹＴＨＭ」の文字は、「周期的な動き。進行の調子。律動。」等の意味合い（広辞苑第六版　甲第１１号証）、あるいは単に「リズム」との意味合いを持ち、数多くの辞書、用語辞典に掲載され、日本でも極めて広く知られている英単語である（甲第１２号証ないし甲第１７号証）。
（イ）本件商標は、上記意味合いを有する英単語「ＲＨＹＴＨＭ」を二等分するように「＋（プラス）」の記号が挿入された態様からなるものであり、「ＲＨＹ」及び「ＴＨＭ」と「＋」との間にはそれぞれ略一文字分のスペースが空けられているが、該文字要素は、何れも同書同大で軽重の差なくバランスよく左右に配置されており、その二つの文字列を結合する飾り文字のごとく「＋」の記号が、本件商標の中心に配置されていることから、これに接する需要者等は、無理なく英単語「ＲＨＹＴＨＭ」を表していると認識することができる。
　また、上述のとおり、「ＲＨＹＴＨＭ」の語及びその意味合いは相当程度需要者等に浸透しているから、「Ｒ」、「Ｈ」、「Ｙ」、「Ｔ」、「Ｈ」、「Ｍ」の順に表わされる文字列中に記号「＋」が挿入されたからといって、本件商標が「リズム」と称呼されることを妨げられると考えるべき特段の事情は存在しない。
（ウ）近時、商標の有する広告宣伝機能に着目して、商品の広告、宣伝等において商標の文字表現に様々なデザインを施し、あるいは文字態様に変化を加えたレタリング技法が広く採択されていることは事実であり、他方、そのような広告、宣伝等に接する取引者、需要者も、該図案化した部分が文字を表わしたものと認識、把握している実情にあることを認めるにやぶさかではない。例えば、平成１１年審判第３５６４０号、不服２００２−１４４５、不服２００３−１８３、不服２００９−１７９８７、平成１１年審判第１８８５号、不服２０００−２４２２、不服２００４−４９６９、不服２００５−１９５８６などがあり、これらの審決例は、いずれも図案化された要素を含む構成文字全体から、既成語ないし既知の語が理解され、または自然な称呼が生ずるという判断の下、その図案化された要素を含む構成全体から特定の称呼、観念が生ずると認定したものである（甲第１８号証ないし甲第２５号証）。
　このような認定がなされるのは、一般に前後に明瞭な欧文字が表示されている場合には、これに接する看者は、先ず、前後の文字を含めた文字全体を読もう（称呼しよう）とするものであり、かつ、それらの文字よりなる単語（文字列）が想起されるとき、又は存在するとき等は、なおのことこのような思考過程を踏むと考えるのがごく自然だからである。
　他方、需要者等は、新しい語ないし不知の語に接した場合には、自らの記憶にある何れかの語との共通性を見出そうとし、その記憶に基づいて当該新しい語又は不知の語の称呼、観念等を理解しようとする傾向にある。
　そうすると、一部に図案化された要素を含む商標について、当該図案化された要素を含めた文字列から既成語ないし既知の語を把握、認識できないものの、当該図案化された要素を除いた文字列から既知の、特定の語を理解できるのであれば、需要者等は、当該図案化された要素を除いた文字列を契機として数ある商品群の中から自らが欲する特定の商品を選択し、当該文字列から生ずる称呼、観念等を以って取引に当たるとするのが相当である。
（エ）本件商標については、上述のとおり、「ＲＨＹ　＋　ＴＨＭ」と表されてなるものであり、「＋」の部分から「プラス」程度の称呼、観念が把握、認識されることが認められる。
　しかしながら、当該「＋」の記号が、何れかの欧文字に代替する文字として用いられることは通常考えられないし、「＋」を含んだ「ＲＨＹ　＋　ＴＨＭ」が特定の観念を生じさせないことも明らかであるから、「＋」を常に文字列と一体視すべき事情は一切存在しない。
　かかる状況の下、平均的な注意力を有する需要者等が、本件商標を見て、広く一般に知られている「リズム；律動」との称呼、観念を把握、理解しない可能性は皆無といって過言ではなく、「＋（プラス）」を含んだ構成全体から、ある特定の称呼が生じ、需要者等は、その称呼を以って取引に当たると考えること自体、実際の取引実情から乖離した極めて非現実的かつ不自然な物の見方であり、全く現実の取引に即さないことは火を見るよりも明らかである。
　なお、万が一にも、本件商標中「＋（プラス）」が他の文字と一体と認識される場合があったとしても、「一個の商標から二個以上の称呼、観念を生ずることがあるのは、経験則の教えるところであり」（最判昭和３８年１２月５日、甲第２６号証）、このことが本件商標から「リズム」という称呼が生ずることを否定することにはならず、上述のとおり、我が国の需要者等は「ＲＨＹ　＋　ＴＨＭ」を、第一次的には「リズム」と称呼すると考えるのが相当である。
（オ）ある文字列からなる商標について図形的要素（図案化された記号、文字）が含まれている場合、当該図形的要素が特定の文字を代替して用いられていると容易に理解できるのであれば、当該図形的要素を含む構成全体から一連の称呼が生ずることを認めるにやぶさかではないが、当該図形的要素が特定の文字に代替するものとして用いられているのではなく、当該図形的要素を除いた文字列がある成語を構成することが容易に把握、認識できる場合には、当該図形的要素を除いた文字列から生ずる称呼、観念を以って取引に資されることは、取引の経験則上明らかであって、審決例、決定例が示すところである（甲第２７号証ないし甲第３１号証）。
（カ）以上からすれば、本件商標から、「ＲＨＹ」及び「ＴＨＭ」の文字列に相応して、「リズム」との称呼が生ずることは、火を見るよりも明らかなことであって、これに疑念を挟む余地はない。
　他方、引用各商標からも「リズム」との称呼が生ずるのであるから、本件商標と引用各商標は、「リズム」という称呼が生ずる点で共通することは明らかであって、両商標は、称呼上同一の商標である。
ウ　観念上の類似性
　本件商標については、上述のとおり、「＋」の部分が前後の「ＲＨＹ」及び「ＴＨＭ」を連結させるための飾り文字として理解されるから、文字列「ＲＨＹＴＨＭ」に相応して、「周期的な動き。進行の調子。律動。」程度の意味合いをもって把握、認識されるものである。
　他方、引用各商標についても、何れも「ＲＨＹＴＨＭ（Ｒｈｙｔｈｍ、ｒｈｙｔｈｍ）」の文字列からなるから、同様に「周期的な動き。進行の調子。律動。」程度の意味合いが生ずる。
　してみれば、本件商標及び引用各商標は、観念においても共通することは明らかであるから、本件商標とこれらの商標は、観念上も同一の商標である。
（３）取引の実情
ア　引用各商標は、請求人がオーストラリアをベースとし、オーストラリア、ヨーロッパ、アメリカ合衆国、カナダを中心に世界的に展開する、サーフウェアその他のサーフィン関連製品のブランドである。
　我が国においても、請求人は、代理店株式会社マニューバーラインを通じてＲｈｙｔｈｍブランドを展開し、その極めて優れたデザイン性から、我が国においても熱狂的な人気を誇っており、我が国のサーフィン関連製品を取り扱う販売店でも当該ブランド製品が度々取り扱われ、そのウェブサイトで紹介されている（甲第３２号証ないし甲第４１号証）。
イ　また、当該ブランド製品は、サーフィン・スケートボード・スノーボードなどのボードカルチャーと、ストリートカジュアル・セレクト系のファッションを中心に構成されたビジネス展示会「ＩＮＴＥＲＳＴＹＬＥ２０１０」（２０１０年９月１日、２日にパシフィコ横浜で開催）及び「ＩＮＴＥＲＳＹＴＬＥ　ＦＥＢＲＵＡＲＹ２０１１」（２０１１年２月１５日から１５日にパシフィコ横浜で開催）に出展された（甲第４２号証及び甲第４３号証）。なお、請求人の「Ｒｈｙｔｈｍ」ブランド製品は、２０１０年１月から同年１２月の間に１２４０万円の売上を計上している。
　これらの事実からも、本件指定商品等に含まれるサーフウェアないしサーフアパレル製品の分野において、我が国でも、請求人の「ｒｈｙｔｈｍ」ブランドが、需要者等の間で広く認識されているといえる。
ウ　かかる状況の下、請求人が展開するブランドと同一の称呼、観念が生ずる本件商標が付された商品が市場に流通した場合、需要者をして、その出所について誤認混同を生じさせることは明らかであり、これを放置すると、請求人の業務上の信用が害されるばかりでなく、需要者の利益も損なわれることとなりかねない。
（４）請求人の「Ｒｈｙｔｈｍ」関連商標の外国における登録状況
　請求人は、全世界的に、自らの「リズムブランド」を展開しており、オーストラリア、アメリカ合衆国、カナダ、中国、ＥＵ、ニュージーランド、ドイツ、インドネシア、ブラジル、の各国において、多数の商標登録を行っている（甲第４４号証ないし甲第５９号証）。
　また、インドネシア、ブラジルでも登録され、イスラエルでは出願係属中である。
　このように、請求人は、世界各国において自らの「Ｒｈｙｔｈｍ」商標を登録し、当該ブランドを展開している。その結果、これらの国においても、Ｒｈｙｔｈｍブランドは、請求人の業務に係る商品を表示するものとして広く知られるに至っている。
（５）小括
　以上のように、本件商標は、外観・称呼・観念のいずれにおいても、引用各商標と共通点を有する類似の商標であり、本件指定商品等の取引実情にかんがみると、引用各商標との間で誤認混同が生ずるおそれが高い商標であるから、商標法第４条第１項第１１号に該当するものである。
３　まとめ
　以上のとおり、本件商標は、商標法第４条第１項第１１号に該当することは明らかであるから、その登録は無効とされるべきである。
　
第４　被請求人の答弁
　被請求人は、結論同旨の審決を求めると答弁し、その理由を要旨次のように述べ、証拠方法として、乙第１号証を提出した。
１　本件審判請求について請求人に法的利害関係がないこと
　引用商標２、引用商標３及び引用商標４は、何れも請求人の所有ではなく、他人の所有に係る登録商標である。
　したがって、引用商標２ないし４に基づく本件審判請求については、請求人に法的利害関係は認められず、自ずと本件商標の指定商品「かばん類，袋物，ガーター，靴下止め，ズボンつり，バンド，ベルト，運動用特殊衣服，運動用特殊靴，動用具」について、本件審判請求が成立たないことは明らかである。
２　本件審判請求は権利濫用であること
　請求人は、引用商標２に対し自ら不使用取消審判を請求し、平成２３年７月２３日付けで第１４類の「貴金属製のがま口及び財布」及び第２６類の「腕止め」について、登録取消審決を受けている（乙第１号証）。
　すなわち、請求人は当該引用商標２には使用実績がなく、何ら保護すべき客体（業務上の信用）が存在していないこと、また出所混同のおそれがないことを十分に知りながら、既に消滅している他人の商標を引用して本件審判を請求しているものであって、正に信義誠実の原則に反するものである。
　したがって、引用商標２に基づく本件審判請求は権利濫用であり、自ずと本件商標の指定商品「かばん類，袋物，ガーター，靴下止め，ズボンつり，バンド，ベルト」について、本件審判請求が成り立たないことは明らかである。
３　本件商標と引用各商標は非類似であること
（１）引用商標１との対比
ア　引用商標１は、別掲（２）のとおりデフォルメした太陽の図形を表示すると共に、その右側に「Ｒｈｙｔｈｍ」を独特の筆記体にて一体的に表示して構成されるものである。
　すなわち、引用商標１は、太陽を直感せしめる図形と独特の筆記体から成る欧文字「Ｒｈｙｔｈｍ」とを一体的に結合した商標として、太陽のイメージを含め、その全体が取引者・需要者に対し、商品の出所識別標識として強く支配的な印象を与えているものであり、かかる引用商標１の商標構成に徴すれば、当該太陽の図形を無視し、殊更欧文字の部分だけを抽出して外観の類否判断をすることができないことは極めて当然のことである。
　したがって、「ＲＨＹ　＋　ＴＨＭ」の構成からなる本件商標と引用商標１の外観上の相違は極めて顕著で、何人においても一目瞭然であり、自ずと両商標は外観上明らかに非類似の商標である。
イ　また、引用商標１は前述のごとく、その商標構成上太陽の図形を無視することができないので、引用商標１からは商取引上「タイヨウジルシリズム」、「タイヨウリズム」あるいは「サンリズム」なる称呼が生じるのが自然であり、「リズム」なる称呼は仮に生じる場合があるとしても極く稀といわざるを得ない。
　これに対し、本件商標は、「ＲＨＹ」の欧文字部と、「ＴＨＭ」の欧文字部との間にスペースを空けて「＋」記号が明確に介在表示されているのであるから、当該「＋」記号を無視することはできない。
　してみれば、本件商標から生じる称呼としては、「アールエッチワイプラスティーエッチエム」あるいは「リィプラススム」であり、少なくとも「＋」の記号を無視した単なる「リズム」の称呼が生じることはあり得ない。
　しかるとき、本件商標の当該称呼「アールエッチワイプラスティーエッチエム」、「リィプラススム」と、引用商標１の称呼「タイヨウジルシリズム」、「タイヨウリズム」、「サンリズム」、（あるいは「リズム」）が彼此明確に区別聴取し得ることは極めて明らかであり、自ずと両商標は称呼上非類似の商標である。
ウ　また、引用商標１は前述のごとく、その商標構成上太陽の図形を無視することができないので、引用商標１からは「太陽の周期的な動き」のごとき意味合いが生じるのが自然である。
　これに対し、本件商標は、「ＲＨＹ」の欧文字部と、「ＴＨＭ」の欧文字部との間にスペースを空けると共に、「＋」記号が介在し、当該「ＲＨＹ」の欧文字部と、当該「ＴＨＭ」の欧文字部が明確に分断されている以上、当該分断表示と「＋」記号の存在を無視し、取引者・需要者が本件商標を「ＲＨＹＴＨＭ」と認識することはあり得ず、自ずと本件商標から特定の意味合いが生じることはない。
　したがって、本件商標と引用商標１については、そもそも観念において類否を判断することはできない。
エ　以上のとおり、本件商標と引用商標１は、全体として出所混同のおそれはなく、明らかに非類似の商標である。
（３）引用商標２ないし引用商標４との対比
ア　引用商標２は、欧文字「ＲＨＹＴＨＭ」を標準文字で表してなる。
　　引用商標３は、欧文字「Ｒｈｙｔｈｍ」を標準文字で表してなる。
　　引用商標４は、欧文字「ｒｈｙｔｈｍ」を書してなる。
イ　これに対し、本件商標は前述のごとく、「ＲＨＹ」の欧文字部と、「ＴＨＭ」の欧文字部との間にスペースを空けて「＋」記号が明確に表示構成されている。すなわち、本件商標は、引用商標２ないし引用商標４のごとく、単に欧文字をワンワード的に一連に左横書して構成されるものではなく、「ＲＨＹ」の欧文字部と「ＴＨＭ」の欧文字部が明確に分断され、かつ当該欧文字部間に「＋」記号が明確に介在しているものである。
　したがって、本件商標と上記の引用商標２ないし引用商標４の外観上の相違は極めて顕著で、何人においても一目瞭然であり、自ずと両商標は外観上明らかに非類似の商標である。
ウ　また、引用商標２ないし引用商標４から「リズム」なる称呼が生じることは、上記の各商標構成に徴し挿疑の余地はない。
　これに対し、本件商標から生じる称呼は、前述のとおり「アールエッチワイプラスティーエッチエム」あるいは「リィプラススム」である。
　しかるとき、本件商標の当該称呼「アールエッチワイプラスティーエッチエム」、「リィプラススム」と、引用商標２ないし引用商標４の称呼「リズム」が彼此明確に区別聴取し得ることは極めて明らかであり、自ずと両商標は称呼上非類似の商標である。
エ　また、引用商標２ないし引用商標４から「周期的な動き」等の意味合いが生じることは、上記の各商標構成に徴し明らかである。
　これに対し、本件商標は、前述のとおり、特定の意味合いが生じることはない。
　したがって、本件商標と引用商標２ないし引用商標４については、そもそも観念において類否を判断することはできない。
オ　以上のとおり、本件商標と引用商標２ないし引用商標４は、全体として出所混同のおそれはなく、明らかに非類似の商標である。
（４）総合的全体的考察による対比
　上述のごとく、本件商標と引用各商標は、外観において顕著な差異を有し、取引者・需要者に与える印象・記憶が全く相違している事実に徴すれば、本件商標の指定商品がファッション性に富む商品で、需要者が特に念入りに商品を吟味・識別する商品であることとも相まって、仮に百歩を譲り、本件商標から「リズム」なる称呼が生じる場合があるとしても、全体として商品の出所について誤認混同を生じるおそれのない、非類似の商標といわざるを得ない。特に、引用商標２は前述のごとく、不使用取消審判により既に消滅しており、そもそも出所混同のおそれがないことは極めて明らかである。
　ちなみに、この総合的全体的考察により出所混同のおそれのない非類似の商標と認定することは、知財高裁平成２３年（行ケ）第１００４０号、知財高裁平成２１年（行ケ）第１０４０４号、知財高裁平成２２年（行ケ）第１０３３９号、知財高裁平成２２年（行ケ）第１０１０２号、不服２００７−９３２５、不服２００７−２０９７２、不服２００７−４８９６、不服２００６−６５０３７、不服２００７−２９４０５、及び不服２００７−１６８０１のごとき判・審決例によっても支持されると共に、最高裁判所「氷山事件」昭和４３年２月２７日判決の趣旨にも合致するものである。
４　請求人による商標の使用
　請求人は、甲第３２号証ないし甲第４３号証を提出しているが、当該甲各号証に表わされている商標が、請求人の所有に係る引用商標１ではなく、また商標的使用にも当たらないことは極めて明らかである。
　したがって、請求人による引用商標１の使用事実すら存在しない、といわざるを得ない。
５　請求人による外国における登録商標
　請求人は、甲第４４号証ないし甲第５９号証を提出しているが、甲第５８号証（ニュージーランド）を除き、他は何れも請求人の所有に係る引用商標１について登録を受けたものではない。
　したがって、請求人による引用商標１の外国における登録例は実質的に存在しない、といわざるを得ない。
６　まとめ
　以上のとおり、請求人に本件審判請求についての法的利害関係がないと共に、本件審判請求は権利濫用であり、また、本件商標と引用商標１ないし引用商標４は非類似の商標であるから、本件商標は、商標法第４条第１項第１１号に該当せず、その商標登録に何ら無効理由は存在しないものである。
　
第５　当審の判断
１　利害関係及び権利濫用にかかる主張について
　被請求人は、引用商標２ないし引用商標４が請求人の所有する商標でないことを理由に、請求人に法的利害関係は認められないとし、該引用商標の指定商品とのみ類似する本件商標の商品について、本件審判請求が成立しない旨主張しているが、無効の理由として引用する商標の商標権が請求人に帰属していなくても、それは請求人が本件審判請求について法律上正当な理由を有することを否定する理由とはならない。また、被請求人は、請求人が本件商標と引用商標２との関係において主張する引用商標の指定商品中の「腕止め」について既に取り消されていることから、引用商標２に基づく本件審判請求は、権利濫用であると主張しているが、本件商標の登録査定時には、当該商品が指定商品中に存在したことは明らかである。
　したがって、当事者間の請求の利益について争いはあるも一概に請求の利益がないとも断定できないので、以下、本案に入って審理する。
２　本件商標と引用各商標の類否について
（１）本件商標について
　本件商標は、別掲（１）のとおり、「ＲＨＹ」の欧文字と「ＴＨＭ」の欧文字の間に、左右に１文字程度の間隔を空けて「＋」の記号を配してなるものである。
　そして、本件商標は、左右の各３文字からなる「ＲＨＹ」と「ＴＨＭ」の間に、左右に１文字分の空白をもって「＋」を表してなるものであるから、外観上も「ＲＨＹ」と「ＴＨＭ」の文字とが明らかに分離して認識されるものであり、また、中間の「＋」の記号は、「加えること。足すこと。」（プラス）等を意味する記号として一般に使用されているものであるから、構成全体として「『ＲＨＹ』と『ＴＨＭ」』を足したもの」というような意味合いを看取させるものである。
　そうとすると、本件商標は、構成全体をもって一体のものとして認識され、把握されるとみるのが自然であり、他にその構成中の「＋」の部分を捨象して認識、把握しなければならないとする格別の理由は見当たらない。
　してみれば、本件商標は、「アールエッチワイプラスティーエッチエム」の一連の称呼のみを生じ、「『ＲＨＹ』と『ＴＨＭ」』を足したもの」というような意味合い（観念）を生ずるというのが相当である。
（２）引用各商標について
　引用商標１は、別掲（２）のとおり、ややデサイン化した筆記体風の「Ｒｈｙｔｈｍ」の欧文字の語頭の左上部に黒丸から太さの異なる放射状の線を円形に配した小さな円形状の幾何図形を配したものであり、文字部分は明らかに「Ｒｈｙｔｈｍ」の欧文字を表したものといえるものである。
　そうすると、引用商標１は、その図形部分よりは格別の称呼、観念は生じないものの、「Ｒｈｙｔｈｍ」の文字から、「リズム」の称呼及び観念を生じるものと認められる。
　また、引用商標２は、「ＲＨＹＴＨＭ」の欧文字を標準文字で表してなるものであり、引用商標３は、「Ｒｈｙｔｈｍ」の欧文字を標準文字で表してなり、引用商標４は、「ｒｈｙｔｈｍ」の欧文字を書してなるものであるから、いずれもその構成文字から「リズム」の称呼及び観念を生じるものと認められる。
（３）本件商標と引用各商標との対比
　本件商標及び引用各商標の構成は、前記のとおりであるから、本件商標は、引用各商標とは、外観上いずれも顕著な差異を有するものであり、明らかに区別し得るものである。
　また、本件商標から生ずる「アールエッチワイプラスティエッチエム」の称呼と引用各商標からそれぞれ生ずる「リズム」の称呼とは、その音数及び構成音において明らかに差異を有するものであるから、相紛れるおそれはない。
　さらに、前記のとおり、本件商標は「『ＲＨＹ』と『ＴＨＭ」』を足したもの」というような意味合い（観念）を生じるのに対し、引用商標は「リズム」の観念を生ずるものであるから、観念上も相紛れるおそれはない。
　そうすると、本件商標と引用各商標とは、外観、称呼及び観念のいずれの点においても相紛れるおそれのない非類似の商標といわざるを得ない。
３　請求人の主張
　請求人は、「ＲＨＹＴＨＭ」が、我が国において極めて広く知られている英単語であること、取引の実際においては、商標に対する注意は瞬時に払われるものであり、そのような状況において、看者は一見して、本件商標が上記英単語を表してなると把握、認識することなどから、本件商標が「＋」があるからといって、「ＲＨＹＴＨＭ」の英単語を妨げるものではない、旨主張している。
　しかしながら、本件商標は、その構成中の「＋」の文字も前述のとおり、「足すこと。」等を意味する記号として極めて親しまれているものであり、外観上も、その両側に空白部を有し、顕著に表してなることから、「＋」の文字部分が捨象して認識されるものではなく、その構成中の「ＲＨＹ」及び「ＴＨＭ」の各文字をもって一つの語を表したものとして認識されるとはいうことができない。
　したがって、請求人の主張は採用できない。
４　むすび
　以上のとおり、本件商標は、その指定商品が引用各商標の指定商品と同一又は類似する商品であることは認められるとしても、引用各商標とは同一又は類似する商標ではないから、商標法第４条第１項第１１号に違反して登録されたものではない。
　したがって、本件商標の登録は、商標法第４６条第１項の規定により、無効とすることはできない。
　なお、請求人は、平成２４年３月２日付けの上申書を提出しているが、その内容を検討するも、前記判断に影響を与えるものではない。
　よって、結論のとおり審決する。